(57)【要約】【課題】他国の放送局から送信された信号に基づいて時計の自動設定を行ってしまうという問題の発生を防止し、かつ、時計の自動設定を満足に行うことができる受信装置を提供すること。【解決手段】ＤＶＤレコーダ１０は、放送局から送信された信号に基づいて時計１８の自動設定を行う受信装置であって、時計１８の自動設定を行う国情報を記憶するメモリ１９と；選択放送局から送信された信号に含まれる国識別情報と、メモリ１９に記憶されている国情報とが一致した場合に、選択放送局から送信された信号に基づいて時計１８の自動設定を行うＣＰＵ２０と；を有することを特徴とする。【選択図】図１
2008139228.tif 000002
【特許請求の範囲】
【請求項１】
放送局から送信された信号に基づいて、日付情報及び時刻情報を表示する時計の自動設定を行う受信装置であって、
前記時計の自動設定を行う国情報を記憶する国記憶部と、
複数の放送局を記憶する放送局記憶部と、
選択放送局から送信された信号に含まれる国識別情報と、前記国記憶部に記憶されている国情報とが一致するか否かを判定する国判定動作と；前記国判定動作において、選択放送局から送信された信号に含まれる国識別情報と、前記国記憶部に記憶されている国情報とが一致すると判定した場合に、前記選択放送局から送信された信号に基づいて前記時計を自動設定する設定動作と；前記国判定動作において、選択放送局から送信された信号に含まれる国識別情報と、前記国記憶部に記憶されている国情報とが一致しないと判定した場合に、前記放送局記憶部に記憶されている複数の放送局から１の未選択の放送局を選択し、前記選択放送局とする国不一致時選択動作と；前記設定動作の後に、前記時計の日付情報及び時刻情報の自動設定が完了したか否かを判定する設定完了判定動作と；前記設定完了判定動作において、前記時計の日付情報及び時刻情報の自動設定が完了していないと判定した場合に、前記放送局記憶部に記憶されている複数の放送局から１の未選択の放送局を選択し、前記選択放送局とする設定未完了時選択動作と；を行い、前記国不一致時選択動作及び前記設定未完了時選択動作の後には、再び前記国判定動作を行う制御部と、
を有することを特徴とする受信装置。
【請求項２】
放送局から送信された信号に基づいて時計の自動設定を行う受信装置であって、
前記時計の自動設定を行う国情報を記憶する国記憶部と、
選択放送局から送信された信号に含まれる国識別情報と、前記国記憶部に記憶されている国情報とが一致するか否かを判定する国判定動作と；前記国判定動作において、選択放送局から送信された信号に含まれる国識別情報と、前記国記憶部に記憶されている国情報とが一致すると判定した場合に、前記選択放送局から送信された信号に基づいて前記時計を自動設定する設定動作と；を行う制御部と、
を有することを特徴とする受信装置。
【請求項３】
複数の放送局を記憶する放送局記憶部を有し、
前記制御部は、
前記国判定動作において、選択放送局から送信された信号に含まれる国識別情報と、前記国記憶部に記憶されている国情報とが一致しないと判定した場合に、前記放送局記憶部に記憶されている複数の放送局から１の未選択の放送局を選択し、前記選択放送局とする国不一致時選択動作を行い、
前記国不一致時選択動作の後には、再び前記国判定動作を行うことを特徴とする請求項２に記載の受信装置。
【請求項４】
複数の放送局を記憶する放送局記憶部を有し、
前記時計は、日付情報及び時刻情報を表示するものであって、
前記制御部は、
前記設定動作の後に、前記時計の日付情報及び時刻情報の自動設定が完了したか否かを判定する設定完了判定動作と、
前記設定完了判定動作において、前記時計の日付情報及び時刻情報の自動設定が完了していないと判定した場合に、前記放送局記憶部に記憶されている複数の放送局から１の未選択の放送局を選択し、前記選択放送局とする設定未完了時選択動作と、
を行い、
前記設定未完了時選択動作の後には、再び前記国判定動作を行うことを特徴とする請求項２又は３に記載の受信装置。
【請求項５】
放送局から送信された信号に基づいて時計の自動設定を行う受信装置の動作を制御するプログラムであって、
選択放送局から送信された信号に含まれる国識別情報と、前記受信装置の国記憶部に記憶されている国情報とが一致するか否かを判定する国判定ステップと、
前記国判定ステップにおいて、選択放送局から送信された信号に含まれる国識別情報と、前記受信装置の国記憶部に記憶されている国情報とが一致すると判定した場合に、前記選択放送局から送信された信号に基づいて前記時計を自動設定する設定ステップと、
を有することを特徴とするプログラム。
【請求項６】
前記国判定ステップにおいて、選択放送局から送信された信号に含まれる国識別情報と、前記受信装置の国記憶部に記憶されている国情報とが一致しないと判定した場合に、前記受信装置の放送局記憶部に記憶されている複数の放送局から１の未選択の放送局を選択し、前記選択放送局とする国不一致時選択ステップを有し、
前記国不一致時選択ステップの後には、再び前記国判定ステップへ進むことを特徴とする請求項５に記載のプログラム。
【請求項７】
前記設定ステップの後に、前記時計の日付情報及び時刻情報の自動設定が完了したか否かを判定する設定完了判定ステップと、
前記設定完了判定ステップにおいて、前記時計の日付情報及び時刻情報の自動設定が完了していないと判定した場合に、前記受信装置の放送局記憶部に記憶されている複数の放送局から１の未選択の放送局を選択し、前記選択放送局とする設定未完了時選択ステップと、
を有し、
前記設定未完了時選択ステップの後には、再び前記国判定ステップへ進むことを特徴とする請求項５又は６に記載のプログラム。
【発明の詳細な説明】
【技術分野】
【０００１】
本発明は、放送局から送信された信号に基づいて時計の自動設定を行う受信装置に関する。また、本発明は、そのような受信装置の動作を制御するプログラムに関する。
【背景技術】
【０００２】
ＤＶＤレコーダなどの受信装置においては、放送情報のタイマー録画などを行うために、受信装置に内蔵された時計の設定を行う必要がある。そのため、従来においては、ユーザは、受信装置の使用開始に当たって、手動で受信装置に内蔵された時計の設定を行ってきた。また、近年においては、放送局から送信された信号に基づいて時計の自動設定を行う受信装置が普及しつつある（特許文献１参照）。
【０００３】
特許文献１の自動時刻設定装置は、ＥＤＳ信号の時刻データに、秒が０秒であることを示すリセットフラグが含まれているか否かを識別するリセットフラグ識別手段を有し、自動時刻設定処理の際には、まず、リセットフラグの有無に拘わらず受信した時刻データに基づいて自動時刻設定を行う。そして、リセットフラグが含まれていない時刻データに基づいて自動時刻設定がなされた場合には、その後にリセットフラグを有する時刻データを受信した際に時計の秒単位の修正を行うことで、自動時刻設定を迅速に行うことができる。
【特許文献１】特開平８−１２９０８４号公報
【発明の開示】
【発明が解決しようとする課題】
【０００４】
ところで、欧州などにおいては、一般的に、受信装置は、他国の放送局から送信された信号を受信することができる。そのため、欧州などにおいては、特許文献１に記載の自動時刻設定装置などの、放送局から送信された信号に基づいて時計の自動設定を行う受信装置は、他国の放送局から送信された信号に基づいて時計の自動設定を行うことも可能である。しかしながら、各国間で標準時間に差があることから、他国の放送局から送信された信号に基づいて行われた時計の自動設定は不適切なものとなる。
【０００５】
そのため、従来においては、ユーザに受信装置が使用される国の放送局を１つ登録させ、該登録された放送局から送信された信号に基づいて時計の自動設定を行う構成とすることで、他国の放送局から送信された信号に基づいて時計の自動設定を行ってしまうという問題の発生を防止していた。
【０００６】
しかしながら、時計情報を全く含まない、あるいは、日付情報と、時刻情報とのうちの一方のみしか含まない信号を送信する放送局もあり、ユーザがそのような放送局を登録した場合には、時計の自動設定を満足に行うことができないという問題がある。例えば、欧州においては、日付情報は放送信号のＶＢＩ（垂直消去帰線期間）のTeletext Header Timeと呼ばれるデータ内に含まれており、時刻情報は放送信号のＶＢＩのPacket 8/30 Format 1と呼ばれるデータ内に含まれているが、放送局によっては、Teletext Header Timeと、Packet 8/30 Format 1とのうちの一方あるいは両方を送信していない場合もある。なお、本明細書においては、時計情報とは、日付情報と、時刻情報とを含むものとする。
【０００７】
上記の問題を鑑みて、本発明においては、他国の放送局から送信された信号に基づいて時計の自動設定を行ってしまうという問題の発生を防止し、かつ、時計の自動設定を満足に行うことができる受信装置を提供することを目的とする。また、本発明の他の目的は、そのような受信装置の動作を制御するプログラムを提供することである。
【課題を解決するための手段】
【０００８】
本発明においては、受信装置は、放送局から送信された信号に基づいて、日付情報及び時刻情報を表示する時計の自動設定を行う受信装置であって、前記時計の自動設定を行う国情報を記憶する国記憶部と、複数の放送局を記憶する放送局記憶部と、選択放送局から送信された信号に含まれる国識別情報と、前記国記憶部に記憶されている国情報とが一致するか否かを判定する国判定動作と；前記国判定動作において、選択放送局から送信された信号に含まれる国識別情報と、前記国記憶部に記憶されている国情報とが一致すると判定した場合に、前記選択放送局から送信された信号に基づいて前記時計を自動設定する設定動作と；前記国判定動作において、選択放送局から送信された信号に含まれる国識別情報と、前記国記憶部に記憶されている国情報とが一致しないと判定した場合に、前記放送局記憶部に記憶されている複数の放送局から１の未選択の放送局を選択し、前記選択放送局とする国不一致時選択動作と；前記設定動作の後に、前記時計の日付情報及び時刻情報の自動設定が完了したか否かを判定する設定完了判定動作と；前記設定完了判定動作において、前記時計の日付情報及び時刻情報の自動設定が完了していないと判定した場合に、前記放送局記憶部に記憶されている複数の放送局から１の未選択の放送局を選択し、前記選択放送局とする設定未完了時選択動作と；を行い、前記国不一致時選択動作及び前記設定未完了時選択動作の後には、再び前記国判定動作を行う制御部と、を有することを特徴とする。
【０００９】
本発明においては、受信装置は、放送局から送信された信号に基づいて時計の自動設定を行う受信装置であって、前記時計の自動設定を行う国情報を記憶する国記憶部と、選択放送局から送信された信号に含まれる国識別情報と、前記国記憶部に記憶されている国情報とが一致するか否かを判定する国判定動作と；前記国判定動作において、選択放送局から送信された信号に含まれる国識別情報と、前記国記憶部に記憶されている国情報とが一致すると判定した場合に、前記選択放送局から送信された信号に基づいて前記時計を自動設定する設定動作と；を行う制御部と、を有することを特徴とする。
【００１０】
本発明においては、上記構成の受信装置において、複数の放送局を記憶する放送局記憶部を有し、前記制御部は、前記国判定動作において、選択放送局から送信された信号に含まれる国識別情報と、前記国記憶部に記憶されている国情報とが一致しないと判定した場合に、前記放送局記憶部に記憶されている複数の放送局から１の未選択の放送局を選択し、前記選択放送局とする国不一致時選択動作を行い、前記国不一致時選択動作の後には、再び前記国判定動作を行うことが望ましい。
【００１１】
本発明においては、上記構成の受信装置において、複数の放送局を記憶する放送局記憶部を有し、前記時計は、日付情報及び時刻情報を表示するものであって、前記制御部は、前記設定動作の後に、前記時計の日付情報及び時刻情報の自動設定が完了したか否かを判定する設定完了判定動作と、前記設定完了判定動作において、前記時計の日付情報及び時刻情報の自動設定が完了していないと判定した場合に、前記放送局記憶部に記憶されている複数の放送局から１の未選択の放送局を選択し、前記選択放送局とする設定未完了時選択動作と、を行い、前記設定未完了時選択動作の後には、再び前記国判定動作を行うことが望ましい。
【００１２】
本発明においては、プログラムは、放送局から送信された信号に基づいて時計の自動設定を行う受信装置の動作を制御するプログラムであって、選択放送局から送信された信号に含まれる国識別情報と、前記受信装置の国記憶部に記憶されている国情報とが一致するか否かを判定する国判定ステップと、前記国判定ステップにおいて、選択放送局から送信された信号に含まれる国識別情報と、前記受信装置の国記憶部に記憶されている国情報とが一致すると判定した場合に、前記選択放送局から送信された信号に基づいて前記時計を自動設定する設定ステップと、を有することを特徴とする。
【００１３】
本発明においては、上記構成のプログラムにおいて、前記国判定ステップにおいて、選択放送局から送信された信号に含まれる国識別情報と、前記受信装置の国記憶部に記憶されている国情報とが一致しないと判定した場合に、前記受信装置の放送局記憶部に記憶されている複数の放送局から１の未選択の放送局を選択し、前記選択放送局とする国不一致時選択ステップを有し、前記国不一致時選択ステップの後には、再び前記国判定ステップへ進むことが望ましい。
【００１４】
本発明においては、上記構成のプログラムにおいて、前記設定ステップの後に、前記時計の日付情報及び時刻情報の自動設定が完了したか否かを判定する設定完了判定ステップと、前記設定完了判定ステップにおいて、前記時計の日付情報及び時刻情報の自動設定が完了していないと判定した場合に、前記受信装置の放送局記憶部に記憶されている複数の放送局から１の未選択の放送局を選択し、前記選択放送局とする設定未完了時選択ステップと、を有し、前記設定未完了時選択ステップの後には、再び前記国判定ステップへ進むことが望ましい。
【発明の効果】
【００１５】
本発明の受信装置は、放送局から送信された信号に含まれる国識別情報と、国記憶部に記憶されている国情報とが一致した場合に、放送局から送信された信号に基づいて時計の自動設定を行うので、欧州などの、受信装置が他国の放送局から送信された信号を受信することができる環境においても、不適切な時計の自動設定を防止することができる。
【００１６】
また、本発明の受信装置は、複数の放送局を記憶する放送局記憶部を有し、放送局から送信された信号に含まれる国識別情報と、国記憶部に記憶されている国情報とが一致しない場合に、放送局記憶部に記憶されている複数の放送局から１の未選択の放送局を選択し、時計の自動設定を継続するので、時計の自動設定が満足に行われる可能性が高くなる。
【００１７】
また、本発明の受信装置は、放送局から送信された信号に含まれる国識別情報と、国記憶部に記憶されている国情報とが一致した場合に、放送局から送信された信号に基づいて時計の自動設定を行い、それによって日付情報及び時刻情報の自動設定が完了しない場合には、放送局記憶部に記憶されている複数の放送局から１の未選択の放送局を選択し、時計の自動設定を継続するので、時計情報を全く含まない、あるいは、日付情報と、時刻情報とのうちの一方のみしか含まない信号を送信する放送局があっても、時計の自動設定が満足に行われる可能性が高くなる。また、放送局記憶部に記憶されている放送局が、日付情報のみを含む信号を送信する放送局と、時刻情報のみを含む信号を送信する放送局としかない場合でも、２つの放送局から送信された信号に基づいて、時計の日付情報及び時刻情報を自動設定できる。
【発明を実施するための最良の形態】
【００１８】
本発明の実施形態について、図面を用いて説明すれば以下の通りである。
【００１９】
図１は、本発明の実施形態に係るＤＶＤレコーダ１０（受信装置）の概略の構成を示すブロック図である。ＤＶＤレコーダ１０は、チューナ１１と、ＭＰＥＧエンコーダ１２と、ＤＶＤドライブ１３と、ＭＰＥＧデコーダ１４と、表示制御部１５と、受光部１６と、リモコン１７と、時計１８と、メモリ１９と、ＣＰＵ２０（制御部）とを有している。
【００２０】
なお、リモコン１７は、ＤＶＤレコーダ本体と独立して持ち運び可能である。そして、チューナ１１にはアンテナ３０が接続され、表示制御部１５にはテレビジョン装置４０が接続されている。また、ＤＶＤドライブ１３にはＤＶＤ５０が載置されている。
【００２１】
ＤＶＤレコーダ１０が放送情報をＤＶＤ５０に記録する際の処理の流れは以下の通りである。まず、アンテナ３０が放送信号を受信し、これをチューナ１１へ伝達する。チューナ１１は、アンテナ３０から伝達された放送信号から所望のチャンネルの放送信号を抽出し、これをＭＰＥＧエンコーダ１２へ伝達する。ＭＰＥＧエンコーダ１２は、チューナ１１から伝達された放送信号に対するエンコード（圧縮）を行い、得られた記録信号をＤＶＤドライブ１３へ伝達する。ＤＶＤドライブ１３は、ＭＰＥＧエンコーダ１２から伝達された記録信号をＤＶＤ５０に記録する。
【００２２】
また、ＤＶＤレコーダ１０がＤＶＤ５０に記録された情報を再生する際の処理の流れは以下の通りである。まず、ＤＶＤドライブ１３がＤＶＤ５０に記録された記録信号を読み出し、これをＭＰＥＧデコーダ１４へ伝達する。ＭＰＥＧデコーダ１４は、ＤＶＤドライブ１３から伝達された記録信号に対するデコード（伸長）を行い、得られた再生信号を表示制御部１５へ伝達する。表示制御部１５は、ＭＰＥＧデコーダ１４から伝達された再生信号に基づく情報をテレビジョン装置４０に表示させる。
【００２３】
受光部１６は、リモコン１７から送信された赤外線信号を受光し、これを電気信号に変換してＣＰＵ２０へ伝達する。時計１８は、日付情報及び時刻情報を表示するもので、放送情報のタイマー録画などを行うために、ＤＶＤレコーダ１０に内蔵されている。メモリ１９は時計１８の自動設定の際に必要な情報を記憶するメモリである。なお、メモリ１９の詳細は後述する。ＣＰＵ２０は、チューナ１１と、ＭＰＥＧエンコーダ１２と、ＤＶＤドライブ１３と、ＭＰＥＧデコーダ１４と、表示制御部１５と、受光部１６と、時計１８と、メモリ１９とに接続され、これらに対して制御指示信号を伝達することで、各種動作を実行させている。
【００２４】
次に、メモリ１９の詳細について説明する。図２は、メモリ１９の概略の構成を示すブロック図である。メモリ１９は、国記憶部１９１と、放送局記憶部１９２とを有している。ここで、国記憶部１９１には、ＤＶＤレコーダ１０を使用する国情報が記憶されている。この国情報の記憶は、ユーザがリモコン１７を用いて行うこととしてもよいし、ＤＶＤレコーダ１０出荷時に予めプリセットしておくこととしてもよい。
【００２５】
そして、放送局記憶部１９２は、Ｐ０１、Ｐ０２、Ｐ０３の３領域で構成され、各領域にはＤＶＤレコーダ１０が信号を受信できる放送局が記憶されている。この放送局の記憶は、ユーザがリモコン１７を用いて行うこととしてもよいし、ＤＶＤレコーダ１０出荷時に予めプリセットしておくこととしてもよい。
【００２６】
次に、ＤＶＤレコーダ１０が時計１８の自動設定を行う際のＣＰＵ２０の制御動作について説明する。図３は、ＤＶＤレコーダ１０が時計１８の自動設定を行う際のＣＰＵ２０の制御動作を示すフローチャートである。ＣＰＵ２０は、時計１８の自動設定を開始すると（Ｓ１）、まず、放送局記憶部１９２のＰ０１に記憶されている放送局から送信された信号を受信するように、チューナ１１の動作を制御する（Ｓ２）。
【００２７】
次に、ＣＰＵ２０は、Ｐ０１に記憶されている放送局から送信された信号に含まれる国識別情報と、国記憶部１９１に記憶されている国情報とが一致するか否かを判定する（Ｓ３）。ここで、例えば、欧州においては、国識別情報は放送信号のＶＢＩのPacket 8/30 Format 1と呼ばれるデータ内、VPSと呼ばれるデータ内、Packet 8/30 Format 2(PDC)と呼ばれるデータ内に含まれている。Ｓ３において、Ｐ０１に記憶されている放送局から送信された信号に含まれる国識別情報と、国記憶部１９１に記憶されている国情報とが一致した場合には、ＣＰＵ２０は、次に、Ｐ０１に記憶されている放送局から送信された信号に基づいて時計１８の自動設定を行う（Ｓ４）。ここで、時計情報を全く含まない、あるいは、日付情報と、時刻情報とのうちの一方のみしか含まない信号を送信する放送局も存在することから、ＣＰＵ２０は、次に、日付情報及び時刻情報の自動設定が完了したか否かを判定する（Ｓ５）。なお、以下では、日付情報及び時刻情報の自動設定が行われた状態を自動設定が完了した状態とする。
【００２８】
Ｓ５において、自動設定が完了した場合には、時計１８の自動設定は終了となる（Ｓ６）。一方、Ｓ３において、Ｐ０１に記憶されている放送局から送信された信号に含まれる国識別情報と、国記憶部１９１に記憶されている国情報とが一致しなかった場合、及び、Ｓ５において、自動設定が完了しなかった場合には、ＣＰＵ２０は、次に、放送局記憶部１９２のＰ０２に記憶されている放送局から送信された信号を受信するように、チューナ１１の動作を制御する（Ｓ７）。
【００２９】
次に、ＣＰＵ２０は、Ｐ０２に記憶されている放送局から送信された信号に含まれる国識別情報と、国記憶部１９１に記憶されている国情報とが一致するか否かを判定する（Ｓ８）。Ｓ８において、Ｐ０２に記憶されている放送局から送信された信号に含まれる国識別情報と、国記憶部１９１に記憶されている国情報とが一致した場合には、ＣＰＵ２０は、次に、Ｐ０２に記憶されている放送局から送信された信号に基づいて時計１８の自動設定を行う（Ｓ９）。ここで、Ｓ４において、日付情報と、時刻情報とのうちの一方のみが設定された場合には、Ｓ９においては、Ｓ４において設定された情報を再び設定する必要はない。しかしながら、Ｓ４において設定された情報を再び設定する構成としてももちろんよい。そして、時計情報を全く含まない、あるいは、日付情報と、時刻情報とのうちの一方のみしか含まない信号を送信する放送局も存在することから、ＣＰＵ２０は、次に、日付情報及び時刻情報の自動設定が完了したか否かを判定する（Ｓ１０）。
【００３０】
Ｓ１０において、自動設定が完了した場合には、時計１８の自動設定は終了となる（Ｓ６）。一方、Ｓ８において、Ｐ０２に記憶されている放送局から送信された信号に含まれる国識別情報と、国記憶部１９１に記憶されている国情報とが一致しなかった場合、及び、Ｓ１０において、自動設定が完了しなかった場合には、ＣＰＵ２０は、次に、放送局記憶部１９２のＰ０３に記憶されている放送局から送信された信号を受信するように、チューナ１１の動作を制御する（Ｓ１１）。
【００３１】
次に、ＣＰＵ２０は、Ｐ０３に記憶されている放送局から送信された信号に含まれる国識別情報と、国記憶部１９１に記憶されている国情報とが一致するか否かを判定する（Ｓ１２）。Ｓ１２において、Ｐ０３に記憶されている放送局から送信された信号に含まれる国識別情報と、国記憶部１９１に記憶されている国情報とが一致した場合には、ＣＰＵ２０は、次に、Ｐ０３に記憶されている放送局から送信された信号に基づいて時計１８の自動設定を行い（Ｓ１３）、時計１８の自動設定は終了となる（Ｓ６）。ここで、Ｓ４又はＳ９において、日付情報と、時刻情報とのうちの一方のみが設定された場合には、Ｓ１３においては、Ｓ４又はＳ９において設定された情報を再び設定する必要はない。しかしながら、Ｓ４又はＳ９において設定された情報を再び設定する構成としてももちろんよい。一方、Ｓ１２において、Ｐ０３に記憶されている放送局から送信された信号に含まれる国識別情報と、国記憶部１９１に記憶されている国情報とが一致しなかった場合には、時計１８の自動設定は終了となる（Ｓ６）。
【００３２】
上記実施形態のＤＶＤレコーダ１０は、放送局から送信された信号に含まれる国識別情報と、国記憶部１９１に記憶されている国情報とが一致した場合に、放送局から送信された信号に基づいて時計１８の自動設定を行うので、欧州などの、ＤＶＤレコーダ１０が他国の放送局から送信された信号を受信することができる環境においても、不適切な時計１８の自動設定を防止することができる。
【００３３】
また、上記実施形態のＤＶＤレコーダ１０は、複数の放送局を記憶する放送局記憶部１９２を有し、放送局から送信された信号に含まれる国識別情報と、国記憶部１９１に記憶されている国情報とが一致しない場合に、放送局記憶部１９２に記憶されている複数の放送局から１の未選択の放送局を選択し、時計１８の自動設定を継続するので、時計１８の自動設定が満足に行われる可能性が高くなる。
【００３４】
また、上記実施形態のＤＶＤレコーダ１０は、放送局から送信された信号に含まれる国識別情報と、国記憶部１９１に記憶されている国情報とが一致した場合に、放送局から送信された信号に基づいて時計１８の自動設定を行い、それによって日付情報及び時刻情報の自動設定が完了しない場合には、放送局記憶部１９２に記憶されている複数の放送局から１の未選択の放送局を選択し、時計１８の自動設定を継続するので、時計情報を全く含まない、あるいは、日付情報と、時刻情報とのうちの一方のみしか含まない信号を送信する放送局があっても、時計１８の自動設定が満足に行われる可能性が高くなる。また、放送局記憶部１９２に記憶されている放送局が、日付情報のみを含む信号を送信する放送局と、時刻情報のみを含む信号を送信する放送局としかない場合でも、２つの放送局から送信された信号に基づいて、時計１８の日付情報及び時刻情報を自動設定できる。
【００３５】
なお、本発明は上記の実施形態に限定されず、本発明の主旨を逸脱しない範囲で種々の変更が可能である。例えば、上記実施形態においては、国記憶部１９１には、ユーザがリモコン１７を用いて入力した、あるいは、ＤＶＤレコーダ１０出荷時に予めプリセットした、ＤＶＤレコーダ１０を使用する国情報が記憶されることとしたが、放送局記憶部１９２のＰ０１に記憶されている放送局を、ＤＶＤレコーダ１０を使用する国の放送局であるとみなし、ＣＰＵ２０が、Ｐ０１に記憶されている放送局の信号を受信する際に得られる国識別情報を国記憶部１９１に記憶させる構成としてもよい。この場合には、図３のフローチャートのＳ３を、Ｐ０１に記憶されている放送局の信号を受信する際に得られる国識別情報を国記憶部１９１に記憶させる動作に置き換えたフローチャートが、ＣＰＵ２０の制御動作を示すことととなる。
【００３６】
また、上記実施形態においては、メモリ１９の放送局記憶部１９２は、Ｐ０１、Ｐ０２、Ｐ０３の３領域で構成され、各領域にはＤＶＤレコーダ１０が信号を受信できる放送局が記憶されているものとしたが、メモリ１９の放送局記憶部１９２が記憶できる放送局の数は自然数であればよく、例えば９９個の放送局を記憶できるものとしてもよい。ここで、メモリ１９の放送局記憶部１９２が記憶できる放送局の数を多くすればするほど、時計１８の自動設定が満足に行われる可能性が高くなる。
【産業上の利用可能性】
【００３７】
本発明は、放送局から送信された信号に基づいて時計の自動設定を行う受信装置として有効である。また、本発明は、そのような受信装置の動作を制御するプログラムとして有効である。
【図面の簡単な説明】
【００３８】
【図１】ＤＶＤレコーダ１０の概略の構成を示すブロック図。
【図２】メモリ１９の概略の構成を示すブロック図。
【図３】ＤＶＤレコーダ１０が時計１８の自動設定を行う際のＣＰＵ２０の制御動作を示すフローチャート。
【符号の説明】
【００３９】
１０    ＤＶＤレコーダ（受信装置）
１８    時計
２０    ＣＰＵ（制御部）
１９１    国記憶部
１９２    放送局記憶部
【図１】
2008139228.tif 000003
【図２】
2008139228.tif 000004
【図３】
2008139228.tif 000005